(57)【要約】【課題】設置高さ高いパネル体は、パネル面全面が閉ざされた面であることが多く、したがって通気性や透光性に欠けることが多い。また、透明なプラスチックス製の波板を使った目隠しとしての使用例は、数多くあり固定用の留め具を使って、波の凸の部分から直接母屋材に固定されているケースがほとんどであるが、その固定用の留め具があまりにも目立って汚い。突然の強風にも板材が飛ばされず、綺麗なパネル体を提案するところにある。【解決手段】本パネル体の発明は、波板や板材の綺麗な線を生かしつつ、高強度のパネル体を発明した。相対する枠材で波板や板材の端面を枠材にスライド式に装着させて構成することで、波板や板材の留め具を外観から見えないようにして、高強度なパネル体を構成したところにある。【選択図】図９
2016141979.tif 000002
【特許請求の範囲】
【請求項１】
板材を縦枠材と横枠材とで組み付けされるパネル体において、横枠材にスライド溝を内包させ、そのスライド溝に、板材の両側の端面に略Ｔ字形をした部材を接合させた状態で、略Ｔ字形をしたＴの天端部の部分を、上下横枠材の内包しているスライド溝に装着させると共に、左右の縦枠材を上下の横枠材に組み付けてなる事を特徴とするパネル体。
【請求項２】
請求項１に於いて、上下横枠材の外周側面の一部に第二のスライド溝を設けている事を特徴とするパネル体。
【請求項３】
請求項２に於いて、上下横枠の外周側面の一部に設けた第二のスライド溝を使って、パネル体同士を接合させたことを特徴とするパネル体。
【発明の詳細な説明】
【技術分野】
【０００１】
本発明は、板材と廻り縁となる枠材とで組み付けられるパネル体に於いて、組みつけられる板材の上下又は端部に、装着部材となるバー材を構成し、枠材と一体にすることで、目隠し性が高く表裏感がないばかりか、高強度でデザイン性が高く、中には透光性もある各種フェンスや屋根部材も構成出来るパネル体に関する。
【背景技術】
【０００２】
従来、目隠しや間仕切に使用されているパネル体は、帯状のアルミニウム製の押出形材のルーバーを複数枚、枠材に単純に固定する形で構成されていたものが殆んどで、最近ではアルミニュウム製の押出形材のルーバーとプラスチックスの押出形材などの、透光性プラスチックス形材とを組合せしたものが使用されるようになっていて、パネル体の廻り縁である枠材に板材を取り付けに際しては、パッキングなどで挟み込んで装着していた。特に板材の中でも波板は、その綺麗な線を表現したパネル体にすることは、取り付け部材を隠すことがむつかしいことから存在していないのが実情である。
【０００３】
そして、パネル体は隣地との境界などに目隠し柵や間仕切柵や屋根部材として使用出来るのであるが、その目的が防犯の為であったり、目隠しの為であったり雨よけだったりするが、高強度でプレハブ化されていて、しかも比較的安価なものは少ない。
【０００４】
板材と廻り縁となる枠材の構成でパネル体を構成し、目的によって目隠し性や透光性と強度を考慮する必要があるが、従来は、使用している部材がアルミニウム製で、透光性がないのは勿論のこと、押出形材のルーバー同士が連結されていないことが多く、個々に帯状のルーバー単独で機械的強度を確保する必要があり、従って強風時でも耐えるようにするには、当然肉厚の厚い物であるとか、ルーバー同士を連結するとか、断面性能の大きい部材を使わざるを得なかったので、高価なものになっていた。
【０００５】
板材を使ったパネル体は、その用途は当然屋外で使用することがほとんどで、パネル体としての強度は、板材と枠材の組み付けの強度が重要である。地球環境の変化で強風や竜巻が劇的に多くなりつつある現状から、更に高強度のパネル体の必要性が高まっている。
【０００６】
〔特許文献1〕には、課題として、複数枚の目隠しパネルを支柱間に縦横に張設することによって建物の外壁を全面的に覆い隠すことができる高さの高い且つ優れた外観を呈するフェンスを構成するとあり。その解決手段として、目隠しパネルＡは、平面横長長方形状の鋼板材からなる上下横桟部材１、２間に複数本の縦桟部材と上下方向に並列した羽根板とを一体に設け、且つ、最上部に設けている羽根板の上端部を上側横桟部材の前面側から上方に突出させてなる形状に形成されてあり、この目隠しパネルＡを隣接する支柱の前面間に縦列状態に積み重ねると共に、上下目隠しパネルＡ、Ａの対向する横桟部材間の隙間を下側の目隠しパネルＡの最上部の羽根板における上記上端部によって覆い隠したフェンス構造としているとある。
【０００７】
しかし、このように構成された目隠しフェンスは、目隠し性と通風性があるとしているが、この形状では目隠しの向きが出来るし、目隠し性も良くない。通気性の向きも一定であり、噴き下げや噴き上げがきつかったりする。目隠し性を改良すると共に、突風などの突然の強風時に強度的に充分な物にするためには、ルーバーの断面性能を大幅に上げる必要があるが、この形状では鋼板の持っている強度を充分に出していない。
【先行技術文献】
【特許文献】
【０００８】
【特許文献１】特開２００３−３１３９３９
【発明の概要】
【発明が解決しようとする課題】
【０００９】
本発明は、以上のような従来の欠点に鑑み、戸建て住宅、アパート、マンション等の隣地との境界などに使用される目隠しフェンスや間仕切柵は、目隠し性や間仕切を目的とした物であるが、テラスやカーポートの屋根材としても有用であり、目隠し性が高く通気性はないが板材によっては透光性が充分あり、突風にも対応できる綺麗なパネル体を提供せんとするものである。
【００１０】
プラスチックスの押出加工で製作された波板の持っている成形性や美観に着眼しつつ、肉厚の内部が中空となっている超軽量の板材や金属製の波板、複合板などに、周縁に枠材を設けてパネルとすることで機械的強度は勿論、目隠し性や間仕切の機能とプラスチックの場合は、その透光性をも取り入れて、理想的なパネル体を提供することを目的としている。
【００１１】
また、波形のプラスチックス板や鉄板は、その波形が使用状況により横や縦のラインが優美であることから、いろいろな用途に昔から多用されてきたが、この波形の形状の欠点として、波形の断面に逆テーパー部がないことからつかみづらく、取り付けに際しては、ビスなどの取付具で波板の山となる部分の頂点から突き刺す形で固定されていた。
【００１２】
このような取り付けしかできないので、綺麗な波板を面材としてパネルの中に組み込む事が極めて少なかったのである。四隅をビスなどで固定する方法もあるが、見栄えが良くない。
【課題を解決するための手段】
【００１３】
請求項１では、板材を縦枠材と横枠材とで組み付けされるパネル体において、横枠材にスライド溝を内包させ、そのスライド溝に、板材の相対する両側の端面に略Ｔ字形をした部材を接合させた状態で、略Ｔ字形をしたＴの天端部の部分を、上下横枠材の内包しているスライド溝に装着させると共に、左右の縦枠材を上下の横枠材に組み付けてなる事を特徴とするパネル体とした。
【００１４】
板材を縦枠材と横枠材とで組み付けされるパネル体において、横枠材にスライド溝を内包させ、そのスライド溝に、板材の両側の端面に略Ｔ字形をした部材を接合させた状態で、略Ｔ字形をしたＴの天端部の部分を、上下横枠材の内包しているスライド溝に装着させるとした。通常、目隠しパネルなど、板材を縦枠材と横枠材とで組み付けされるパネル体で構成する場合は、縦枠材と横枠材の内溝を利用して、板材をパッキング材などで包み込むようにして組み付けていた。
【００１５】
しかし、最近多発する竜巻や強風などで、板材をパッキングなどで包み込む程度の止め方では、面材の板材が強風にあおられて、吹き飛ばされるようになってきた。又、端面を強固に固定すると、プラスチックスなどは線膨張係数が大きいので、夏場や冬場の温度変化により板材の寸法が変化することになり、大きな歪になって表面にあらわれて、目隠しパネルなどの面がポコポコになり、極めて見苦しいものになる。
【００１６】
特に、透明なプラスチックス製の波板を使った目隠しとしての使用例は数多くありあるが、固定用の留め具を使って、波の凸の部分から直接母屋材に固定されているケースがほとんどであり、その固定用の留め具があまりにも目立って汚いのが大きな問題になっている。突然の強風にも板材が飛ばされず、綺麗なパネル体を提案するところにある。
【００１７】
本パネル体の発明では、透明なプラスチックス製の波板であれば、その綺麗な線や透光性を生かしつつ、表裏感の無い高強度のパネル体とすることが出来、相対する枠材で波板や板材の端面を枠材にスライド式に装着させて構成させることで、波板や板材の留め具を外観から見えないばかりか、歪の発生が抑えられる。
【００１８】
このパネル体は柱材と桁材で組み付けたテラスやカーポートの屋根材としても有効に利用できるし、この様な構造を生かして、透光性のあるプラスチックスの波板、メッキ鋼板やカラ―鋼板による波板などの板材を、用途向きに合わせてパネル体の面材として採用しても良い。
【００１９】
請求項２では、請求項１に於いて、上下横枠材の外周側面の一部に第二のスライド溝を設けてなる事を特徴とするパネル体とした。
【００２０】
これは、本発明のパネル体を支柱やメッシュフェンスなどへの取付に際して、表からビスや金具が見えないようにするための工夫である。
【００２１】
例えば横枠材の断面に第二のスライド溝を構成したとすると。第二のスライド溝が長さ方向に連続しているので、ボルトナットを使って支柱やメッシュフェンスや壁面のどの位置にでも取り付けが可能となる。
【００２２】
請求項３では、請求項２に於いて、上下横枠材の外周側面の一部に設けた第二のスライド溝を使って、パネル体同士を接合させたことを特徴とするパネル体とした。
【００２３】
これは、パネル体を複数枚、縦に積み重ねるように取り付けたり、横に並べたりした時、隣同士のパネル体の取り付けを表から見せないようにしながら、裏で簡単に金具で連結出来るので、容易に目隠し柵や間仕切柵、屋根部材としてなど、使用される用途に合わせて強度アップが図れるところにある。
【発明の効果】
【００２４】
以上の説明から明らかなように、本発明にあっては次に列挙する効果が得られる。
・  本パネル体の発明は、透明なプラスチックス製の板や波板を採用すれば、その綺麗な線や透光性を生かしつつ、高強度のパネル体とすることが出来、相対する枠材で波板や板材の端面を枠材にスライド式に装着させて構成させることで、波板や板材の留め具を外観から見えない、高強度なパネル体が構成できるところにある。
【００２５】
・  市販のプラスチックス波板などの材質的に低強度のものでも使用できるようになるので極めて安価に供給できるようになる。
【００２６】
・  又、メッキ鋼板やカラ―鋼板を板材として使用すると、板材自身が高強度であることから、廻り縁の枠材は化粧だけの簡単な部材で済ませる事が出来る。
【００２７】
請求項２では、次のような効果がある。
（４）上下横枠の外周側面の一部に第二のスライド溝を設けているので、パネル体が壁や支柱やメッシュフェンスなどの、どこにでもかなり自由度のある形で、目隠しや間仕切柵、屋根部材が構成できる。
【００２８】
更に、請求項３では、次のような効果がある
（５）パネル体同士が容易に確実に連結出来るので、極めて高強度で目隠しや仕切りが出来るパネル体が、好きな場所につけられるし、その取り付けする枚数も容易に選んで構成できるようになる。
【図面の簡単な説明】
【００２９】
【図１】本発明パネル体の斜視図である。
【図２】本発明パネル体の上端部の部分斜視図である。
【図３】板材（波板）の斜視図である。
【図４】横枠材と板材との装着の断面図である。
【図５】本発明パネル体のメッシュフェンスへの取付正面図である。
【図６】超軽量板材と略Ｔ字形部材の取付の部分断面図である。
【図７】複層板材と略Ｔ字形部材の取付の部分断面図である。
【図８】複層板材を横枠材に装着させた時の部分断面図である。
【図９】メッシュフェンスの縦線に横枠材を固着させた時の部分断面図である。
【図１０】図９の裏面図である。
【図１１】請求項３の横枠材同士の連結の部分断面図である。
【図１２】横並びのパネル体同士の連結の部分正面図である。
【図１３】本パネル体を屋根材に使ったカーポートの斜視図である。
【発明を実施するための形態】
【００３０】
以下本発明の実施の形態を図に基づいて説明する。
【実施例１】
【００３１】
図１は、本発明パネル体の斜視図で、板材として波板を使った事例である。概略寸法で、縦０．２〜０．６メーター横１〜６メーター、厚みが１０〜６０ミリメートル程度の大きさのパネル体１である。
【００３２】
図２は、本発明パネル体の上端部の部分斜視図である。板材である波板４ａは横枠２と縦枠３とで囲まれて組みつけられる。縦枠材７は横枠材２のタッピングホール１１にビス８などを使ってパネルの側面から固着させると、強固なパネル体１になる。
【００３３】
図３は、板材（波板４ａ）の斜視図である。縦０．３メーター横２メーターの波板４ａの斜視図である。最近では波板４ａも高級なポリカーボネート樹脂が主に使われるようになってきている。ポリカーボネート樹脂は耐衝撃性にずば抜けた性能を発揮するが、耐侯性に問題が有り、黄変するという欠点があったが、最近では樹脂の中に耐侯性を上げる薬剤を混入させたり、耐侯性に優れたフイルムを張りつけたりして、黄変しないものになっている。
【００３４】
図４は横枠材２と板材４ａとの装着の断面図である。横枠材２にスライド溝５を内包させ、そのスライド溝５に、板材４ａの端面に略Ｔ字形７ａをした部材を接合させた状態で、略Ｔ字形をしたＴの天端部の部分を、横枠材２に内包しているスライド溝５に装着させ、横枠材２の外周側面の一部には第二のスライド溝６を設けている。
【００３５】
スライド溝５の形状は略Ｔ字形７をした天端のバーの形に合わせて、ここではスライド溝５の中に略Ｔ字形７をした天端のバーの形がほど良く動く形で、あまりガタが大きくならないほどほどの寸法で決められる。
【００３６】
又、略Ｔ字形７の天端部の形状が丸くなっていたり、矢形になっていても本来の機能であるスライドできるとか、スライド溝から外れないなどの要件が満たされれば、何ら支障はない。略Ｔ字形７をした天端のバーの形に合わせてスライド溝５の形も決めればよい。
【００３７】
略Ｔ字形７は板材への取り付けに際して、短冊状に短くして板材に取り付けても、強度的に問題が無ければ何ら支障はない。また、こうすることで横枠材２をアーチ状に大きく曲げる時、スライド溝５のアールに追随することが容易になる。
【００３８】
図５は、本発明パネル体１のメッシュフェンス９への取付正面図である。波板による目隠しパネルとなって開放的すぎるメッシュフェンス９の上部にこのパネル体を取り付けすることによって、プラスチックス波板を使へば透光性のある目隠しパネルとして効果的な使い方となる。
【００３９】
このメッシュフェンスへの取り付けに際しては、図９、図１０のような形の取り付けになる。第二のスライド溝が非常に有効で、簡単な取付金具で容易にメッシュフェンスへの取り付けが綺麗に行える。
【００４０】
図６は、超軽量板材４ｂと略Ｔ字形部材７ｂの取付の部分断面図である。超軽量板材４ｂはポリカーボネートの２層の薄板の間に断面で梯子状に繋がっている構造になっている。略Ｔ字形部材７ｂと超軽量板材４ｂとはリベット材１０で固着されている。この固着に際してはあまり強度が必要でない場合は、略Ｔ字形部材７ｂを小さなサイズに分割して使用するとコストダウン出来る。
【００４１】
図７は、複層板材４ｃと略Ｔ字形部材７ｂの取付の部分断面図である。図６の取りつけと同様である。この複層板材４ｃは、例えばアルミニュウムの薄板を両面にして、内部にプラスチックスや合板などを張り合わせたものが使用出来る。この時の複層板の厚みは１〜５ミリメートルが適当であるが、これ以下でもこれ以上でも差しつかえるものではない。
【００４２】
図8は、複層板材４ｃを横枠材２に装着させた時の部分断面図である。図４では横枠材２と波板４ａとの装着の断面図であったが、ここでは複層板材４ｃを装着した時の図である。横枠材２の上方内面に２か所タッピングホール１１が設けられていて、縦枠材３の取り付けに際して、このタッピングホール１１が有ることでビス止めが簡単におこなえるので、強固なパネル体１が容易に組み付ける事が出来るのである。
【００４３】
図９は、メッシュフェンス９の縦線材１２に横枠材２を固着させた時の部分断面図である。横枠材２の外周側面の一部に設けている第二のスライド溝６を使ってメッシュフェンス９の縦線材１２と取付金具１３とをボルト１５ナット１６を使って固着させるのである。第二のスライド溝６が横枠材２の断面に構成しているので、メッシュフェンス９の線材１２の、どの位置にも取り付ける事が容易であるので好都合である。
【００４４】
図１０は、図９の裏面図である。取付金具１３とをボルト１５ナット１６を使ってメッシュフェンス９の縦線材１２に取り付けている様子が表現されている。
【００４５】
図１１は、請求項３の横枠材２同士の連結の部分断面図である。相対する横枠材２の外周側面に構成している第二のスライド溝６を利用して、金具１７とボルト１５ナット１６で図１１のように強固に固着する事が出来る。
【００４６】
図１２は、横並びのパネル体同士の連結の部分正面図である。この時も金具１７と第二のスライド溝６にはめられたボルト１５ナット１６で、横並びのパネル体１同士の連結が強固行うことが出来る。
【００４７】
図１３は、本パネル体１を屋根材に使ったカーポートの斜視図である。カーポートの支柱に取付した桁材に、パネル体１を順に４から２０枚取付することで屋根材が構成出来る。
【符号の説明】
【００４８】
１  パネル体
２  横枠材
３  縦枠材
４ａ  波板
４ｂ  超軽量板材
４ｃ  複層板
５  スライド溝
６  第二のスライド溝
７ａ  略Ｔ字形部材
７ｂ  第二略Ｔ字形部材
７ｃ  第三略Ｔ字形部材
８  ビス
９  メッシュフェンス
１０  リベット材
１１  タッピングホール
１２  縦線材
１３  取付金具
１４  ねじ部
１５  ボルト
１６  ナット
１７  金具
【図１】
2016141979.tif 000003
【図２】
2016141979.tif 000004
【図３】
2016141979.tif 000005
【図４】
2016141979.tif 000006
【図５】
2016141979.tif 000007
【図６】
2016141979.tif 000008
【図７】
2016141979.tif 000009
【図８】
2016141979.tif 000010
【図９】
2016141979.tif 000011
【図１０】
2016141979.tif 000012
【図１１】
2016141979.tif 000013
【図１２】
2016141979.tif 000014
【図１３】
2016141979.tif 000015